【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
組織に取り付けられ、電気生理学的信号を検知するよう構成される第１電極および第２電極と、
マルチトランジスタ回路、および前記電気生理学的信号に基づき、電流を変調するよう構成される変調回路を有する集積回路と、
前記変調された電流に基づき、前記組織からの前記電気生理学的信号をエンコードする超音波後方散乱を発するよう構成される超音波トランスデューサと、を有する埋め込み型デバイス。
【請求項２】
前記マルチトランジスタ回路がデジタル回路である、請求項１に記載の埋め込み型デバイス。
【請求項３】
前記デジタル回路が、前記変調回路を作動させるよう構成される、請求項２に記載の埋め込み型デバイス。
【請求項４】
前記デジタル回路が、前記変調回路にデジタル化信号を送信するように構成され、前記デジタル化信号は前記検知された電気生理学的信号に基づく、請求項２または３に記載の埋め込み型デバイス。
【請求項５】
前記デジタル化信号が、固有の埋め込み型デバイス識別子または固有の電極対識別子を含む、請求項４に記載の埋め込み型デバイス。
【請求項６】
前記デジタル化信号が、アナログ信号に比べ５倍以上圧縮される、請求項４または５に記載の埋め込み型デバイス。
【請求項７】
前記超音波トランスデューサおよび前記変調回路を有する本体を備え、前記本体の最大寸法の長さが約５ｍｍ以下である、請求項１〜６のいずれか一項に記載の埋め込み型デバイス。
【請求項８】
前記第１電極および前記第２電極の間隔が約０．５ｍｍ以上離れている、請求項１〜７のいずれか一項に記載の埋め込み型デバイス。
【請求項９】
非応答型リフレクタを有する、請求項１〜８のいずれか一項に記載の埋め込み型デバイス。
【請求項１０】
前記組織が筋肉組織または神経組織である、請求項１〜９のいずれか一項に記載の埋め込み型デバイス。
【請求項１１】
前記組織が、末梢神経系の一部または中枢神経系の一部である、請求項１〜１０のいずれか一項に記載の埋め込み型デバイス。
【請求項１２】
前記組織が脳組織または末梢神経である、請求項１〜１１のいずれか一項に記載の埋め込み型デバイス。
【請求項１３】
前記組織が骨格筋、心筋、または平滑筋である、請求項１〜１０のいずれか一項に記載の埋め込み型デバイス。
【請求項１４】
３つ以上の電極を有する、請求項１〜１３のいずれか一項に記載の埋め込み型デバイス。
【請求項１５】
前記集積回路がスパイク検出器を有する、請求項１〜１４のいずれか一項に記載の埋め込み型デバイス。
【請求項１６】
前記集積回路が電源回路を有する、請求項１〜１５のいずれか一項に記載の埋め込み型デバイス。
【請求項１７】
前記集積回路がアナログ・デジタル変換器（ＡＤＣ）を有する、請求項１〜１６のいずれか一項に記載の埋め込み型デバイス。
【請求項１８】
前記集積回路が増幅器列を有する、請求項１〜１７のいずれか一項に記載の埋め込み型デバイス。
【請求項１９】
前記超音波トランスデューサおよび前記変調回路を有する本体を備え、前記本体の体積が約５ｍｍ３以下である、請求項１〜１８のいずれか一項に記載の埋め込み型デバイス。
【請求項２０】
前記超音波トランスデューサが、埋め込み型デバイスに電力を供給する超音波を受信するよう構成される、請求項１〜１９のいずれか一項に記載の埋め込み型デバイス。
【請求項２１】
前記超音波トランスデューサが、１つ以上の超音波トランスデューサを有する呼びかけ機からの超音波を受信するよう構成される、請求項１〜２０のいずれか一項に記載の埋め込み型デバイス。
【請求項２２】
前記超音波トランスデューサが、バルク圧電トランスデューサ、圧電マイクロマシン超音波トランスデューサ（ＰＭＵＴ）、または容量性マイクロマシン超音波トランスデューサ（ＣＭＵＴ）である、請求項１〜２１のいずれか一項に記載の埋め込み型デバイス。
【請求項２３】
対象に埋め込まれる、請求項１〜２２のいずれか一項に記載の埋め込み型デバイス。
【請求項２４】
前記対象がヒトである、請求項２３に記載の埋め込み型デバイス。
【請求項２５】
前記組織中、前記組織上、または前記組織の近くに埋め込まれる、請求項１〜２４のいずれか一項に記載の埋め込み型デバイス。
【請求項２６】
前記第１電極および前記第２電極が、前記組織中または前記組織上に埋め込まれる、請求項２５に記載の埋め込み型デバイス。
【請求項２７】
生体適合性物質によって少なくとも部分的に被包される、請求項１〜２６のいずれか一項に記載の埋め込み型デバイス。
【請求項２８】
前記第１電極および第２電極の少なくとも一部が、前記生体適合性物質によって被包されない、請求項２７に記載の埋め込み型デバイス。
【請求項２９】
請求項１〜２８のいずれか一項に記載の１つ以上の埋め込み型デバイスと、該１つ以上の埋め込み型デバイスに超音波を送信するか、該１つ以上の埋め込み型デバイスから超音波後方散乱を受信するよう構成される１つ以上の超音波トランスデューサを有する呼びかけ機と、を有する、システム。
【請求項３０】
複数の埋め込み型デバイスを有する、請求項２９に記載のシステム。
【請求項３１】
前記呼びかけ機は、送信される超音波をビームステアリングして、該送信される超音波を、前記複数の埋め込み型デバイスの第１部分または前記複数の埋め込み型デバイスの第２部分に交互に集中させるよう構成される、請求項３０に記載のシステム。
【請求項３２】
前記呼びかけ機は、少なくとも２つの埋め込み型デバイスからの超音波後方散乱を同時に受信するよう構成される、請求項３０に記載のシステム。
【請求項３３】
前記呼びかけ機は、時間分割多重化、空間多重化、または周波数多重化を用いて、前記複数の埋め込み型デバイスに超音波を送信するか、前記複数の埋め込み型デバイスから超音波後方散乱を受信するよう構成される、請求項３０に記載のシステム。
【請求項３４】
前記呼びかけ機は、対象によって着用可能であるよう構成される、請求項２９〜３３のいずれか一項に記載のシステム。
【請求項３５】
１つ以上の超音波トランスデューサを有する呼びかけ機と、
１つ以上のプロセッサと、
前記１つ以上のプロセッサによって実行されるよう構成された１つ以上のプログラムを保存する、コンピュータにより読取可能な非一時的記憶媒体と、を備え、
前記１つ以上のプログラムが、
埋め込み型デバイスから発せられる生理的信号をエンコードする超音波後方散乱に基づく前記生理的信号を検知するための命令、および、
前記埋め込み型デバイスから発せられる前記生理的信号に応答しない超音波後方散乱に基づき、前記呼びかけ機中の前記１つ以上の超音波トランスデューサに対する前記埋め込み型デバイスの位置を測定するため、または前記埋め込み型デバイスの動きを検知するための命令を含む、コンピュータシステム。
【請求項３６】
生理的信号が電気生理学的信号である、請求項３５に記載のコンピュータシステム。
【請求項３７】
前記１つ以上のプログラムが、前記呼びかけ機中の前記１つ以上の超音波トランスデューサに対する前記埋め込み型デバイスの位置または動きを測定するための命令を含む、請求項３５または３６に記載のコンピュータシステム。
【請求項３８】
前記生理的信号に応答する前記超音波後方散乱が、前記生理的信号をエンコードするデジタル化信号を含む、請求項３５〜３７のいずれか一項に記載のコンピュータシステム。
【請求項３９】
前記１つ以上のプログラムが、前記検知された生理的信号を、複数の埋め込み型デバイスのうち、前記生理的信号をエンコードする超音波後方散乱を発した前記埋め込み型デバイスに帰するための命令を含む、請求項３５〜３８のいずれか一項に記載のコンピュータシステム。
【請求項４０】
時間分割多重化、空間多重化、または周波数多重化を用いて、前記検知された生理的信号を、前記埋め込み型デバイスに帰する、請求項３９に記載のコンピュータシステム。
【請求項４１】
前記生理的信号をエンコードする前記超音波後方散乱にエンコードされる固有の識別子を用いて、前記検知された生理的信号を、前記埋め込み型デバイスに帰する、請求項３９に記載のコンピュータシステム。
【請求項４２】
組織中の電気生理学的信号を検知する方法であって、
１つ以上の埋め込み型デバイスにおいて超音波を受信する工程と、
前記超音波からのエネルギーを、変調回路中を流れる電流に変換する工程と、
前記電気生理学的信号を検知する工程と、
前記電気生理学的信号をデジタル化する工程と、
前記デジタル化された電気生理学的信号に基づき、前記電流を変調する工程と、
前記変調された電流を、前記電気生理学的信号に関する情報をエンコードする超音波後方散乱に変換する工程と、
前記超音波後方散乱を受信するよう構成される１つ以上のトランスデューサを有する呼びかけ機に、前記超音波後方散乱を発する工程と、を含む、方法。
【請求項４３】
組織中の電気生理学的信号を検知する方法であって、
１つ以上の超音波トランスデューサを有する呼びかけ機から、１つ以上の埋め込み型デバイスに、超音波を送信する工程と、
前記１つ以上の埋め込み型デバイスから、前記電気生理学的信号に関するデジタル化された情報をエンコードする超音波後方散乱を受信する工程と、を含む方法。
【請求項４４】
前記呼びかけ機を用いて、前記超音波後方散乱を受信する工程を含む、請求項４２または４３に記載の方法。
【請求項４５】
前記超音波が、前記１つ以上の埋め込み型デバイスに電力を供給する、請求項４２〜４４のいずれか一項に記載の方法。
【請求項４６】
前記組織が筋肉組織または神経組織である、請求項４２〜４５のいずれか一項に記載の方法。
【請求項４７】
前記組織が末梢神経系の一部、または中枢神経系の一部である、請求項４２〜４６のいずれか一項に記載の方法。
【請求項４８】
前記組織が脳組織または末梢神経である、請求項４２〜４７のいずれか一項に記載の方法。
【請求項４９】
前記組織が骨格筋、心筋、または平滑筋である、請求項４２〜４６のいずれか一項に記載の方法。
【請求項５０】
筋電図、神経電気記録図、心電図、複合活動電位、複数のニューロンのマルチユニット活動、局所電場電位、または活動電位を再構築する工程を含む、請求項４２〜４９のいずれか一項に記載の方法。
【請求項５１】
前記１つ以上の埋め込み型デバイスを埋め込む工程を含む、請求項４２〜５０のいずれか一項に記載の方法。
【請求項５２】
前記対象がヒトである、請求項４２〜５１のいずれか一項に記載の方法。
【請求項５３】
前記１つ以上の埋め込み型デバイスの位置または動きを測定する工程を含む、請求項４２〜５２のいずれか一項に記載の方法。
【請求項５４】
前記デジタル化信号が、固有の埋め込み型デバイス識別子または固有の電極対識別子を含む、請求項４２〜５３のいずれか一項に記載の方法。
【請求項５５】
前記１つ以上の埋め込み型デバイスは、複数の埋め込み型デバイスを含む、請求項４２〜５４のいずれか一項に記載の方法。